(57)【特許請求の範囲】
【請求項１】
基板を支持するための基板用カセット（１）であって、
複数の上スロットバー（１０１）と、下スロットバー（１０２）からなり、上、下スロットバー（１０１），（１０２）の間に基板置きスペースを形成し、上、下スロットバー（１０１），（１０２）毎に、一対の平行スロット（１０３）が開設されてあり、前記一対のスロット（１０３）のうち、一つは位置決めスロット（１０４）であって、もう一つはガイドスロット（１０５）であり、前記位置決めスロット（１０４）には、複数の係止溝（１０６）が異なる間隔を隔てて設けられた枠体（１０）と、
前記基板置きスペースで平行設置されて、両支持体（２０）の間に基板収容スペースを形成し、支持体（２０）毎に、上スライドボード（２０２）と、下スライドボード（２０４）と、上、下スライドボード（２０２），（２０４）の間に設置された支持部（２０６）とを有し、上、下スライドボード（２０２），（２０４）の一方には、貫通孔（２４２）が開設されてあり、また、該スライドボードの該貫通孔（２４２）に隣接した個所には、ネジ穴（２４４）が開設された少なくとも二つの支持体（２０）と、
ヘッド部（３２）と、ロック部（３４）とからなり、前記ロック部（３４）は、前記貫通孔（２４２）及び位置決めスロット（１０４）を通り抜け、ロック部（３４）が前記位置決めスロット（１０４）の中で予定の係止溝（１０６）の位置までスライドする際に、支持体（２０）もロック部（３４）にガイドされて、枠体（１０）の対応するスロットバーに沿って予定の位置にスライドし、これによって、両支持体（２０）の相対位置を変化させて、予定の規格の基板を収容する位置決めロック（３０）と、
前記ガイドスロット（１０５）を通り抜けて、前記スライドボードのネジ穴（２４４）に締められ、支持体（２０）がスライド状態になった時、ガイドスロット（１０５）の中で弛んだ状態にされ、支持体（２０）が予定の位置までスライドした時、ネジ穴（２４４）に締められる固定ボルト（４０）と、
を含み、
前記貫通孔（２４２）の直径は、前記位置決めスロット（１０４）の幅と同じであり、
前記位置決めロック（３０）のヘッド部（３２）の直径は、前記貫通孔（２４２）の直径より大きく、
前記位置決めロック（３０）のロック部（３４）には、バネ（５０）が掛けてあり、位置決めロック（３０）のロック部（３４）が前記貫通孔（２４２）を通り抜けた後、該バネ（５０）は位置決めロック（３０）のヘッド部（３２）とスロットバーの表面の間に位置して、位置決めロック（３０）に上に向う弾力を与え、
前記位置決めロック（３０）のロック部（３４）の末端には、貫通孔（３４２）が開設されて、ラッチ（６０）が該貫通孔（３４２）の中に挿入され、ロック部（３４）が位置決めスロット（１０４）の中で予定の係止溝（１０６）の位置までスライドした時、前記ラッチ（６０）は、予定の係止溝（１０６）の中に収容される
ことを特徴とする基板用カセット。
【請求項２】
前記支持体のネジ穴と、貫通孔との間隔が前記位置決めスロットと、ガイドスロットとの間隔と同じであることを特徴とする請求項１に記載の基板用カセット。
【請求項３】
前記係止溝は、上、下スロットバーの外表面に開設され、位置決めスロットの両側壁の下縁と交差して、係止溝毎は、皆位置決めスロットによって、互いに対称する両部分に分けられることを特徴とする請求項１に記載の基板用カセット。
【請求項４】
前記支持部毎は、両相対する内壁に水平方向で複数の半円型板状リブ（２０８）が設けられていることを特徴とする請求項１に記載の基板用カセット。
【請求項５】
基板を支持するための基板用カセット（１）であって、
複数の上スロットバー（１０１）と、下スロットバー（１０２）からなり、上、下スロットバー（１０１），（１０２）の間に基板置きスペースを形成し、上、下スロットバー（１０１），（１０２）毎に、ガイドスロット（１０５）が開設されてある枠体（１０）と、
前記基板置きスペースで平行設置されて、両支持体（２０）の間に基板収容スペースを形成し、支持体（２０）毎は、上スライドボード（２０２）と、下スライドボード（２０４）と、上、下スライドボード（２０２），（２０４）の間に設置された支持部（２０６）とを有し、該スライドボードには、またネジ穴（２４４）が開設された少なくとも二つの支持体（２０）と、
前記ガイドスロット（１０５）を通り抜けて、前記スライドボードのネジ穴（２４４）に締められ、支持体（２０）がスライド状態になった時、ガイドスロット（１０５）の中で弛んだ状態にされ、支持体（２０）が予定の位置までスライドした時、ネジ穴（２４４）に締められる固定ボルト（４０）と、
を含み、
前記上、下スロットバー（１０１），（１０２）には、さらに前記ガイドスロット（１０５）と平行した位置決めスロット（１０４）が開設されてあり、該位置決めスロット（１０４）には、複数の係止溝（１０６）が異なる間隔を隔てて設けられ、
前記スライドボードの前記ネジ穴（２４４）に隣接した個所には、貫通孔（２４２）が開設され、
前記基板用カセット（１）は、さらに位置決めロック（３０）を有し、該位置決めロック（３０）は、ヘッド部（３２）と、ロック部（３４）とからなり、該ロック部（３４）は、前記貫通孔（２４２）及び位置決めスロット（１０４）を通り抜け、かつ該ロック部（３４）には、バネ（５０）が掛けてあり、
前記位置決めロック（３０）のロック部（３４）の末端には、貫通孔（３４２）が開設されて、ラッチ（６０）が該貫通孔（３４２）の中に挿入され、ロック部（３４）が位置決めスロット（１０４）の中で予定の係止溝（１０６）の位置までスライドした時、前記ラッチ（６０）は、予定の係止溝（１０６）の中に収容される
ことを特徴とする基板用カセット。
【発明の詳細な説明】
【技術分野】
【０００１】
本発明は、基板用カセットに関し、特に、平面ディスプレイの製造工程に用いられる、異なる規格の基板をローディング、搬送可能な基板用カセットに関するものである。
【背景技術】
【０００２】
従来、平面ディスプレイの製造工程において、基板のローディングや搬送の仕事のため、確かに、基板用カセットを設計する必要がある。
【０００３】
従来の基板用カセットは、枠体と、枠体の両側に組立てられた両側板と、側板を枠体に位置決めするロック装置とを含む。前記両側板は、一定の間隔を隔てて基板を収容し、枠体には、所定の間隔を隔てて、前記ロック装置と対応する貫通孔が開設されているし、ロック装置は、前記貫通孔を通して、両側板を枠体の異なる位置に固定させて、異なる規格の基板を収容する。（特開平３−２７３６６４号公報参照）
【０００４】
ところが、基板用カセットの両相対側板の間隔を調整するに際して、一般的に所定の道具を使ってからこそ、ロック装置を完全に取外せるし、それから、両側板の枠体内での位置を調整し、また該道具を使ってロック装置を枠体に取付ける。こうしてからこそ、側板の間の収容スぺースを変化させて、異なる規格の基板を収容することができる。だが、部品を完全に取外してから、再び取付けるのは、時間の浪費や部品の遺失などの点で不利であり、また、所定の外来道具に頼って、取付けたり、取外したりするのは、大変不便である。
【特許文献１】特開平５−１４７６８０号明細書
【特許文献２】特開平３−２７３６６４号公報
【発明の開示】
【発明が解決しようとする課題】
【０００５】
本発明は、異なる規格の基板が収容できる基板用カセット、または、簡単な構造を有して、容易に操作できる基板用カセットを提供することを目的とする。
【課題を解決するための手段】
【０００６】
前記の目的を達成するために、本発明の基板用カセット（１）は、枠体（１０）と、少なくとも二つの支持体（２０）と、位置決めロック（３０）と、固定ボルト（４０）とを含む。枠体（１０）は、複数の上スロットバー（１０１）及び下スロットバー（１０２）を有して、上、下スロットバー（１０１），（１０２）の間に基板置きスペースを形成し、上、下スロットバー（１０１），（１０２）毎に、一対の平行スロット（１０３）が開設され、一つが位置決めスロット（１０４）であって、もう一つはガイドスロット（１０５）であり、前記位置決めスロット（１０４）には、互いに異なる間隔を隔てて、複数の係止溝（１０６）が開設されている。両支持体（２０）は、枠体（１０）の基板置きスペースで互いに平行設置されて、両支持体（２０）の間に基板収容スペースを形成し、支持体（２０）毎に、上スライドボード（２０２）と、下スライドボード（２０４）と、上、下スライドボード（２０２），（２０４）の間に位置した支持部（２０６）とを有し、上、下スライドボード（２０２），（２０４）の一方には、貫通孔（２４２）が開設されてあり、また、該スライドボードの該貫通孔（２４２）に隣接した個所には、ネジ穴（２４４）が開設されてあり、該ネジ穴（２４４）と該貫通孔（２４２）との間隔は、前記位置決めスロット（１０４）とガイドスロット（１０５）との間隔と同じである。位置決めロック（３０）は、ヘッド部（３２）と、ロック部（３４）とを有し、該ロック部（３４）は、前記貫通孔（２４２）及び位置決めスロット（１０４）を通り抜けるし、該ロック部（３４）が前記位置決めスロット（１０４）の中で予定の係止溝（１０６）の位置までスライドする際に、支持体（２０）もロック部（３４）にガイドされて、枠体（１０）の対応するスロットバーに沿ってスライドして、予定の位置に至る。これによって両支持体（２０）の相対位置を変化させて、予定の規格の基板を収容する。固定ボルト（４０）は、前記ガイドスロット（１０５）を通り抜けて、前記スライドボードのネジ穴（２４４）に締められ、支持体（２０）がスライドする時、ガイドスロット（１０５）の中で弛んだ状態にされ、支持体（２０）が予定の位置まで至った時、前記ネジ穴（２４４）に締められる。
前記貫通孔（２４２）の直径は、前記位置決めスロット（１０４）の幅と同じである。
前記位置決めロック（３０）のヘッド部（３２）の直径は、前記貫通孔（２４２）の直径より大きい。
前記位置決めロック（３０）のロック部（３４）には、バネ（５０）が掛けてあり、位置決めロック（３０）のロック部（３４）が前記貫通孔（２４２）を通り抜けた後、該バネ（５０）は位置決めロック（３０）のヘッド部（３２）とスロットバーの表面の間に位置して、位置決めロック（３０）に上に向う弾力を与える。
前記位置決めロック（３０）のロック部（３４）の末端には、貫通孔（３４２）が開設されて、ラッチ（６０）が該貫通孔（３４２）の中に挿入され、ロック部（３４）が位置決めスロット（１０４）の中で予定の係止溝（１０６）の位置までスライドした時、前記ラッチ（６０）は、予定の係止溝（１０６）の中に収容される。
【発明を実施するための最良の形態】
【０００７】
図１、図２及び図３を参照しなさい。本発明の基板用カセット１は、枠体１０と、四つの支持体２０と、複数の位置決めロック３０と、複数の固定ボルト４０とを含む。
【０００８】
図１、図２に示すように、枠体１０は、四つの上スロットバー１０１と、四つの下スロットバー１０２とからなり、上、下スロットバー１０１、１０２の間に基板置きスペースが形成される。上、下スロットバー１０１，１０２毎には、一対の平行スロット１０３が設けられ、その中で、一つは位置決めスロット１０４であり、もう一つはガイドスロット１０５である。以下は、一つの位置決めスロット１０４を例として、その構造に対して説明する。図２に示すように、位置決めスロット１０４の下端には、所定の距離を隔てて複数の係止溝１０６が配列されてあり、該係止溝１０６は、位置決めスロット１０４の両側壁の下縁と交差して、係止溝１０６毎は、皆位置決めスロット１０４によって、互いに対称する両部分に分けられる。
【０００９】
図１に示すように、四つの支持体２０は、二つの支持体毎が対向設置されて基板収容スペースを形成する。支持体２０毎は、同じ構造を有し、皆垂直板状を呈している。支持体２０毎は、上スライドボード２０２と、下スライドボード２０４と、上、下スライドボードの間に位置した垂直状の支持部２０６とからなる。支持部２０６毎には、両相対する内壁に水平方向で複数の半円型板状リブ２０８が設けられている。上、下スライドボード２０２、２０４は同じ構造を有するため、以下は下スライドボード２０４を例として説明する。下スライドボード２０４の両端には、それぞれ貫通孔２４２が開設され、該貫通孔２４２の直径は位置決めスロット１０４の幅と同じである。下スライドボード２０４の底面で貫通孔２４２に隣接する個所には、ネジ穴２４４が開設され、該ネジ穴２４４と貫通孔２４２との間隔は、位置決めスロット１０４とガイドスロット１０５との間隔と同じである。また、支持体２０は、枠体の上、下スロットバーを沿ってスライドできる。
【００１０】
位置決めロック３０は、ヘッド部３２と、ロック部３４とを含む。ヘッド部３２は、下スロットバー２０４の上表面の上方に位置されて、その直径は貫通孔２４２のものより大きい。ロック部３４は、円柱体であり、貫通孔２４２を通り抜けて、ロック部３４の末端に開設られた貫通孔３４２は、下スロットバー２０４の下表面の下方に露出され、また、ラッチ６０が該貫通孔３４２内に挿入される。バネ５０は、ロック部３４に掛けられ、位置決めロック３０のロック部３４が前記貫通孔２４２を取り抜けた後に、バネ５０はヘッド部３２と下スロットバー２０４の上表面の間に位置されて、位置決めロック３０に上に向かう弾力を提供する。
【００１１】
図１から図５に至るまで示すように、カセットを組立てるに際して、まず、一つの支持体２０を前記枠体１０の基板置きスペースに戴載し、その後、バネ５０を位置決めロック３０のロック部３４に掛け、各位置決めロック３０のロック部３４を、上、下スライドボード２０２、２０４の両端の貫通孔２４２内に挿入し、かつ枠体１０のスロットバーの位置決めスロット１０４から取り抜けさせて、位置決めロック３０の末端が位置決めスロット１０４の下表面の下方に延出されるようにする。この時、バネ５０の弾力のため、前記貫通孔３４２は、位置決めスロット１０４の下方に露出していない。位置決めロック３０のヘッド部３２を下に押えて、バネ５０を変形させ、前記貫通孔３４２を位置決めスロット１０４の下方に露出させる。ラッチ６０を貫通孔３４２内に挿入し、支持体２０を移動させて、ラッチ６０が予定の係止溝１０６内に収容されるようにする。その後、ヘッド部３２から外力を外し、位置決めロック３０は、バネ５０の弾力のため上に向かって弾かれて、ラッチ６０は、係止溝１０６内にしっかり嵌め込まれる。従って、位置決めロック３０は、支持体２０を枠体１０の予定の位置に位置決めする。最後、固定ボルト４０をガイドスロット１０５から通り抜けて、固定ボルト４０は、支持体２０の下スライドボード２０４のネジ穴２４４内に締られ、ボルト４０のヘッド部は下スライドボード２０４の外部に位置される。これによって、支持体２０を枠体１０内に固定する。他の支持体２０も同じ方法で枠体１０内に取付けることができる。
【００１２】
収容しようとする基板の規格が変化して、両支持体２０間の相対位置を調整する必要がある際に、まず、固定ボルト４０を弛めて、支持体２０が枠体１０の収容スぺースでスライドできるようにする。ここで注意すべきものは、固定ボルト４０を完全に取外さなくていい。その後、位置決めロック３０のヘッド部３２を下に押さえて、バネ５０を変形させて、ラッチ６０を係止溝１０６の内部から離し、支持体２０を予定の係止溝１０６の位置に移動させる。その後、前記位置決めロック３０のヘッド部３２に掛けた外力を外して、バネ５０は上に向って弾くし、ラッチ６０は所要の係止溝１０６内に嵌め込まれる。最後、固定ボルト４０を締めて、支持体２０を枠体１０の所要の位置に固定する。
【００１３】
従来の技術と比べて、本発明の基板用カセットは、如何なる部品も取外さない状態で、基板用カセット１の基板収容スペースを変換でき、異なる規格の基板を収容することができる。
【００１４】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【図面の簡単な説明】
【００１５】
【図１】本発明における基板用カセットの立体図である。
【図２】位置決めロック、ラッチ及び固定ボルトと、枠体の位置決めスロット、ガイドスロットとの位置関係を示した、図１における基板用カセットの局部構造の拡大図である。
【図３】図２におけるラッチが位置決めスロットの係止溝内に収容された状態を表わす略図である。
【図４】図２における位置決めロック、ラッチ、バネ、及び固定ボルトとの組立関係を示した略図である。
【図５】本発明における基板用カセットの位置決めロックと、支持体の下スライドボードと、枠体の下スロットバーとの組立関係を示した略図である。
【符号の説明】
【００１６】
１  基板用カセット
１０  枠体
１０１  上スロットバー
１０２  下スロットバー
１０３  スロット
１０４  位置決めスロット
１０５  ガイドスロット
１０６  係止溝
２０  支持体
２０２  上スライドボード
２０４  下スライドボード
２０６  支持部
２０８  リブ
２４２、３４２  貫通孔
２４４  ネジ穴
３０  位置決めロック
３２  ヘッド部
３４  ロック部
４０  固定ボルト
５０  バネ
６０  ラッチ
【図１】
0004303088.tif 000002
【図２】
0004303088.tif 000003
【図３】
0004303088.tif 000004
【図４】
0004303088.tif 000005
【図５】
0004303088.tif 000006